【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ストライク部分と、リア部分と、ポート構造部と、チューニング・エレメントと、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記リア部分は、前記ストライク部分のボトム・エンドにおいて前記ストライク部分に連結されており、
前記ポート構造部は、前記リア部分の中に少なくとも部分的に画定されており、スロット開口部からスロット・ベースへ延在するスロットを有しており、
前記チューニング・エレメントは、前記ポート構造部の中に、前記ポート構造部と実質的に一致して位置しており、
前記ストライク部分の前記ボトム・エンドは、前記スロット開口部よりも前記スロット・ベースの近くに位置しており、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記第１のリア壁部カーブは、前記スロット開口部と前記スロット・ベースとの間を伸びる第１の方向に凸状であり、
前記ストライクフェイスは、前記リア壁部よりも前記フロント壁部の近くに位置しており、
前記スロット開口部から前記スロット・ベースまでの距離が、前記フロント壁部から前記リア壁部までの距離よりも大きい、ゴルフクラブヘッド。
【請求項２】
前記第１のフロント壁部カーブは、第１の半径を有する第１の円形の一部分を含み、
前記第１のリア壁部カーブは、第２の半径を有する第２の円形の一部分を含み、
前記第１の円形および前記第２の円形は、おおよそ同心円状になっている、請求項１に記載のゴルフクラブヘッド。
【請求項３】
前記第２の半径は、前記第１の半径よりも小さい、請求項２に記載のゴルフクラブヘッド。
【請求項４】
前記第２の半径は、約１．２７ｃｍから約３．８１ｃｍである、請求項２または３に記載のゴルフクラブヘッド。
【請求項５】
前記バックフェイスは、少なくとも部分的に凹形である、請求項１から４のいずれか一項に記載のゴルフクラブヘッド。
【請求項６】
前記ヒール壁部と前記トウ壁部との間の前記フロント壁部の中間部分は、前記第１の方向に沿って、前記ヒール壁部と前記トウ壁部との間の前記リア壁部の中間部分からおおよそ一定の距離である、請求項１から５のいずれか一項に記載のゴルフクラブヘッド。
【請求項７】
前記フロント壁部は、前記第１の方向に対して垂直であるとともに前記ヒール壁部と前記トウ壁部との間を伸びる第２の方向に沿って、第２のフロント壁部カーブを含む、請求項１から６のいずれか一項に記載のゴルフクラブヘッド。
【請求項８】
前記リア壁部は、前記第１の方向に対して垂直であるとともに前記ヒール壁部と前記トウ壁部との間を伸びる第２の方向に沿って、おおよそ真っ直ぐになっている、請求項１から６のいずれか一項に記載のゴルフクラブヘッド。
【請求項９】
前記フロント壁部は、前記ヒール壁部および前記トウ壁部において、前記ヒール壁部と前記トウ壁部との間の中間点よりも、前記リア壁部から短い距離である、請求項１から８のいずれか一項に記載のゴルフクラブヘッド。
【請求項１０】
前記ヒール壁部は、前記リア壁部に対して９０度よりも大きい角度であり、
前記トウ壁部は、前記リア壁部に対して９０度よりも大きい角度である、請求項１から９のいずれか一項に記載のゴルフクラブヘッド。
【請求項１１】
前記ストライクフェイスと前記フロント壁部との間の距離は、前記スロット開口部よりも前記スロット・ベースにおいて、大きくなっている、請求項１から１０のいずれか一項に記載のゴルフクラブヘッド。
【請求項１２】
前記ポート構造部は、前記スロット開口部において、前記フロント壁部、前記リア壁部、前記ヒール壁部、および前記トウ壁部を越えて延在するキャップ凹部を含む、請求項１から１１のいずれか一項に記載のゴルフクラブヘッド。
【請求項１３】
前記チューニング・エレメントは、約２．５４ｃｍから約７．６２ｃｍのヒール・トゥー・トウ長さを含む、請求項１から１２のいずれか一項に記載のゴルフクラブヘッド。
【請求項１４】
前記チューニング・エレメントは、約０．２５４ｃｍから約２．５４ｃｍの高さを含む、請求項１から１３のいずれか一項に記載のゴルフクラブヘッド。
【請求項１５】
前記チューニング・エレメントは、フロント・トゥー・リア厚さを含み、
前記ヒール壁部および前記トウ壁部における前記フロント・トゥー・リア厚さは、前記ヒール壁部と前記トウ壁部との間の中間点における前記フロント・トゥー・リア厚さよりも小さくなっており、
前記ヒール壁部および前記トウ壁部における前記フロント・トゥー・リア厚さは、約０．０６３５ｃｍ以上になっており、
前記ヒール壁部と前記トウ壁部との間の前記中間点における前記フロント・トゥー・リア厚さは、約１．２７ｃｍ以下になっている、請求項１から１４のいずれか一項に記載のゴルフクラブヘッド。
【請求項１６】
前記チューニング・エレメントは、前記スロットを越えて延在するキャップを含み、前記キャップは、前記フロント壁部、前記リア壁部、前記ヒール壁部、および前記トウ壁部を越えて延在する前記スロット開口部において、キャップ凹部の中に着座させられる、請求項１から１５のいずれか一項に記載のゴルフクラブヘッド。
【請求項１７】
前記チューニング・エレメントは、１つの配向にだけ、前記ポート構造部の中へ挿入され得る、請求項１から１６のいずれか一項に記載のゴルフクラブヘッド。
【請求項１８】
前記チューニング・エレメントは、前記リア部分または前記ストライク部分とは異なる材料を含む、請求項１から１７のいずれか一項に記載のゴルフクラブヘッド。
【手続補正２】
【補正対象書類名】明細書
【補正対象項目名】００８９
【補正方法】変更
【補正の内容】
【００８９】
さらに、本明細書で開示された実施形態および限定は、実施形態および／または限定が、（１）請求項において明示的に請求されていない場合、および、（２）均等物の原則の下での請求項における明示的な要素および／もしくは限定である、または、そのような要素および／もしくは限定と潜在的に均等である場合、公有の原則において公衆に捧げられるものではない。
以下の項目は、国際出願時の特許請求の範囲に記載の要素である。
（項目１）
ゴルフクラブヘッドであって、
ストライク部分と、リア部分と、ポート構造部と、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記リア部分は、前記ストライク部分のボトム・エンドにおいて前記ストライク部分に連結されており、
前記ポート構造部は、前記リア部分の中に少なくとも部分的に画定されており、スロット開口部からスロット・ベースへ延在するスロットを有しており、
前記ストライク部分の前記ボトム・エンドは、前記スロット開口部よりも前記スロット・ベースの近くに位置しており、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置する、ゴルフクラブヘッド。
（項目２）
前記第１のフロント壁部カーブは、第１の半径を有する第１の円形の一部分を含み、
前記第１のリア壁部カーブは、第２の半径を有する第２の円形の一部分を含み、
前記第１の円形および前記第２の円形は、おおよそ同心円状になっている、項目１に記載のゴルフクラブヘッド。
（項目３）
前記第２の半径は、前記第１の半径よりも小さい、項目２に記載のゴルフクラブヘッド。
（項目４）
前記第２の半径は、約１．２７ｃｍから約３．８１ｃｍである、項目２または３に記載のゴルフクラブヘッド。
（項目５）
前記バックフェイスは、少なくとも部分的に凹形である、項目１から４のいずれか一項に記載のゴルフクラブヘッド。
（項目６）
前記ヒール壁部と前記トウ壁部との間の前記フロント壁部の中間部分は、前記第１の方向に沿って、前記ヒール壁部と前記トウ壁部との間の前記リア壁部の中間部分からおおよそ一定の距離である、項目１から５のいずれか一項に記載のゴルフクラブヘッド。
（項目７）
前記フロント壁部は、前記第１の方向に対して垂直であるとともに前記ヒール壁部と前記トウ壁部との間を伸びる第２の方向に沿って、第２のフロント壁部カーブを含む、項目１から６のいずれか一項に記載のゴルフクラブヘッド。
（項目８）
前記リア壁部は、前記第１の方向に対して垂直であるとともに前記ヒール壁部と前記トウ壁部との間を伸びる第２の方向に沿って、おおよそ真っ直ぐになっている、項目１から６のいずれか一項に記載のゴルフクラブヘッド。
（項目９）
前記フロント壁部は、前記ヒール壁部および前記トウ壁部において、前記ヒール壁部と前記トウ壁部との間の中間点よりも、前記リア壁部から短い距離である、項目１から８のいずれか一項に記載のゴルフクラブヘッド。
（項目１０）
前記ヒール壁部は、前記リア壁部に対して９０度よりも大きい角度であり、
前記トウ壁部は、前記リア壁部に対して９０度よりも大きい角度である、項目１から９のいずれか一項に記載のゴルフクラブヘッド。
（項目１１）
前記ストライクフェイスと前記フロント壁部との間の距離は、前記スロット開口部よりも前記スロット・ベースにおいて、大きくなっている、項目１から１０のいずれか一項に記載のゴルフクラブヘッド。
（項目１２）
前記ポート構造部は、前記スロット開口部において、前記フロント壁部、前記リア壁部、前記ヒール壁部、および前記トウ壁部を越えて延在するキャップ凹部を含む、項目１から１１のいずれか一項に記載のゴルフクラブヘッド。
（項目１３）
前記ポート構造部の中に、前記ポート構造部と実質的に一致して位置するチューニング・エレメントをさらに備える、項目１から１２のいずれか一項に記載のゴルフクラブヘッド。
（項目１４）
前記チューニング・エレメントは、約２．５４ｃｍから約７．６２ｃｍのヒール・トゥー・トウ長さを含む、項目１３に記載のゴルフクラブヘッド。
（項目１５）
前記チューニング・エレメントは、約０．２５４ｃｍから約２．５４ｃｍの高さを含む、項目１３または１４に記載のゴルフクラブヘッド。
（項目１６）
前記チューニング・エレメントは、フロント・トゥー・リア厚さを含み、
前記ヒール壁部および前記トウ壁部における前記フロント・トゥー・リア厚さは、前記ヒール壁部と前記トウ壁部との間の中間点における前記フロント・トゥー・リア厚さよりも小さくなっており、
前記ヒール壁部および前記トウ壁部における前記フロント・トゥー・リア厚さは、約０．０６３５ｃｍ以上になっており、
前記ヒール壁部と前記トウ壁部との間の前記中間点における前記フロント・トゥー・リア厚さは、約１．２７ｃｍ以下になっている、項目１３から１５のいずれか一項に記載のゴルフクラブヘッド。
（項目１７）
前記チューニング・エレメントは、前記スロットを越えて延在するキャップを含み、前記キャップは、前記フロント壁部、前記リア壁部、前記ヒール壁部、および前記トウ壁部を越えて延在する前記スロット開口部において、キャップ凹部の中に着座させられる、項目１３から１６のいずれか一項に記載のゴルフクラブヘッド。
（項目１８）
前記チューニング・エレメントは、１つの配向にだけ、前記ポート構造部の中へ挿入され得る、項目１３から１７のいずれか一項に記載のゴルフクラブヘッド。
（項目１９）
前記チューニング・エレメントは、前記リア部分または前記ストライク部分とは異なる材料を含む、項目１３から１８のいずれか一項に記載のゴルフクラブヘッド。
（項目２０）
ゴルフクラブヘッドを提供する方法であって、
ストライク部分を提供するステップと、
前記ストライク部分のボトム・エンドにおいて前記ストライク部分に連結されているリア部分を提供するステップと、
ポート構造部を提供するステップと、
チューニング・エレメントを前記ポート構造部に連結するステップと、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記ポート構造部は、前記リア部分の中に少なくとも部分的に画定されており、スロット開口部からスロット・ベースへ延在するスロットを有しており、
前記ストライク部分の前記ボトム・エンドは、前記スロット開口部よりも前記スロット・ベースの近くに位置し、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置する、ゴルフクラブヘッドを提供する方法。